(57)【要約】      （修正有）【課題】絶縁シートがベースカバーに適切に載置された状態を実現できる放電ランプ用点灯装置等の電気機器を提供する。【解決手段】底面部２ａ及び樋状に構成され一対の側壁部２ｂ，側壁部２ｂに第１の係合部及び抑止部が形成されたベースケース２と、ベースケース２に重なるように形成された一対の側板部５ｃ，５ｃを有し、側壁部２ｂの第１の係合部と係合する第２の係合部が形成されたカバーケース５と、カバーケース５の内側面に沿った形状を有し、ベースケース２とカバーケース５の内側で重なるように形成された絶縁シート３と、電気部品が実装された回路基板６により構成され、回路基板６を絶縁シート３を介してベースケース２の底面部２ａ側に配置した。【選択図】図１
2010135291.tif 000002
【特許請求の範囲】
【請求項１】
底面部及びこの底面部の両側から上方に連続する一対の側壁部により樋状に構成され、前記一対の側壁部に第１の係合部及び抑止部が形成されたベースケースと；
天板部及びこの天板部の両側から連続してベースケースの側壁部に重なるように形成された一対の側板部を有し、前記一対の側板部に前記ベースケースにおける側壁部の第１の係合部と係合する第２の係合部が形成されたカバーケースと；
ベースケースの底面部内面に沿った底部及びベースケースにおける一対の側壁部内面に沿った縦壁部を有し、ベースケースの抑止部と協働して前記底部側をベースケースの底面部側へ収納させるように固定する固定機構が縦壁部に形成されると共に、カバーケースの内側面に沿った形状を有し、ベースケースとカバーケースの内側において重なるように形成された絶縁シートと；
電気部品が実装された回路基板により構成され、回路基板が絶縁シートを介してベースケースの底面部側に配置された電気回路と
を具備したことを特徴とする電気機器。
【請求項２】
絶縁シートは、弾性を有するフィルムにより構成され、
固定機構は、底部の両側に連続して立設する縦壁部を長手方向に延びる折線により折り曲げて形成した鍔部と、この鍔部より底部側の角部へ延びる傾斜部とを有することを特徴とする請求項１に記載の電気機器。
【請求項３】
ベースケースの抑止部は、一対の側壁部における内側へ突設された突起部により構成され、
絶縁シートの鍔部の外下方部が前記突起部に当接し、回路基板により構成される電気回路の側縁部が絶縁シートの鍔部を介して前記突起部に載置されることを特徴とする請求項２に記載の電気機器。
【請求項４】
ベースケースの抑止部は、側壁部を穿設して形成された二条のスリットに挟まれ、対向する側壁部方向へ湾曲されて突出された帯状部材により構成され、
帯状部材の下端部には切欠部が形成されていることを特徴とする請求項１乃至３のいずれか１項に記載の電気機器。
【請求項５】
ベースケースの抑止部は、側壁部を穿設して形成された二条のスリットに挟まれ、対向する側壁部方向へ湾曲されて突出された帯状部材により構成され、
帯状部材の下端部と接触する絶縁シートの部位には穴が形成されていることを特徴とする請求項１乃至３のいずれか１項に記載の電気機器。
【請求項６】
点灯装置として使用される請求項１乃至５のいずれか１項に記載の電気機器と；
この点灯装置により点灯される光源と；
前記点灯装置及び光源を配置している器具本体と
を具備することを特徴とする照明器具。
【発明の詳細な説明】
【技術分野】
【０００１】
この発明は、樋状のベースケースと、その蓋であるカバーケースとにより箱状に構成されており、箱状の内部に設けられる回路を絶縁するための絶縁シートを備える放電ランプ用点灯装置等の電気機器に関するものである。
【背景技術】
【０００２】
従来の放電ランプ用点灯装置においては、ベースケースとこれの蓋であるカバーケースの内部に、絶縁シートを介してプリント基板を配置した構造を有している（特許文献１の特に０００２欄、図９参照）。
【０００３】
しかしながら、上記従来の放電ランプ用点灯装置においては、絶縁シートをベースカバーに載置して、更にプリント基板を配置するものであるが、絶縁シートをベースカバーに載置したときに絶縁シートがベースカバーから浮いた状態となったり、静電気によりチャックに絶縁シートが貼り付いてしまい、ベースカバーに絶縁シートが載置されていなかったりして、製造工程において歩留まりが悪くなるという問題点があった。
【発明の概要】
【発明が解決しようとする課題】
【０００４】
本発明は、上記のような従来の点灯装置等の電気機器における問題点に鑑みてなされたもので、製造工程において、絶縁シートがベースカバーに適切に載置された状態を実現することのできる放電ランプ用点灯装置等の電気機器を提供する。
【課題を解決するための手段】
【０００５】
本発明に係る電気機器は、底面部及びこの底面部の両側から上方に連続する一対の側壁部により樋状に構成され、前記一対の側壁部に第１の係合部及び抑止部が形成されたベースケースと；天板部及びこの天板部の両側から連続してベースケースの側壁部に重なるように形成された一対の側板部を有し、前記一対の側板部に前記ベースケースにおける側壁部の第１の係合部と係合する第２の係合部が形成されたカバーケースと；ベースケースの底面部内面に沿った底部及びベースケースにおける一対の側壁部内面に沿った縦壁部を有し、ベースケースの抑止部と協働して前記底部側をベースケースの底面部側へ収納させるように固定する固定機構が縦壁部に形成されると共に、カバーケースの内側面に沿った形状を有し、ベースケースとカバーケースの内側において重なるように形成された絶縁シートと；電気部品が実装された回路基板により構成され、回路基板が絶縁シートを介してベースケースの底面部側に配置された電気回路とを具備したことを特徴とする。
【０００６】
第１、第２の係合部は、これらの係合によりベースケースとカバーケースが結合するものであれば、構成に特に限定はない。絶縁シートは、ポリエチレンテレフタレート（ＰＥＴ）などによるフィルムが採用される。ベースケースの抑止部は、絶縁シートの固定機構と協働して絶縁シートにおける底部側をベースケースの底面部側へ収納させるように固定するものであれば、側壁部の内側に凸となっていても又外側へ凸になっていても良いし、側壁部とは別部材を用いても良い。点灯装置として使用される場合の点灯用光源としては、放電ランプ、電球、ＬＥＤなどを採用することができる。絶縁シートは、一枚或いは二枚の絶縁シートによって構成される。
【０００７】
本発明に係る電気機器では、絶縁シートは、弾性を有するフィルムにより構成され、固定機構は、底部の両側に連続して立設する縦壁を長手方向に延びる折線により折り曲げて形成した鍔部と、この鍔部より底部側の角部へ延びる傾斜部とを有することを特徴とする。
【０００８】
本発明に係る電気機器では、ベースケースの抑止部は、一対の側壁部における内側へ突設された突起部により構成され、絶縁シートの鍔部の外下方部が前記突起部に当接し、回路基板により構成される電気回路の側縁部が絶縁シートの鍔部を介して前記突起部に載置されることを特徴とする。
【０００９】
本発明に係る電気機器では、ベースケースの抑止部は、側壁部を穿設して形成された二条のスリットに挟まれ、対向する側壁部方向へ湾曲されて突出された帯状部材により構成され、帯状部材の下端部には切欠部が形成されていることを特徴とする。
【００１０】
帯状部材の幅は、回路部品が実装された回路基板を保持する強度に形成される。切欠部は、半円より僅かに小さい形状であることが望ましいが、特にこの形状に限定されるものではない。
【００１１】
本発明に係る電気機器では、ベースケースの抑止部は、側壁部を穿設して形成された二条のスリットに挟まれ、対向する側壁部方向へ湾曲されて突出された帯状部材により構成され、帯状部材の下端部と接触する絶縁シートの部位には穴が形成されていることを特徴とする。
【００１２】
穴の形状はほぼ楕円形状であると好適であることが確認されたが、特にこの形状に限定されるものではない。
【００１３】
本発明に係る照明器具は、点灯装置として使用される請求項１乃至５のいずれか１項に記載の電気機器と；この点灯装置により点灯される光源と；前記点灯装置及び光源を配置している器具本体とを具備することを特徴とする。
【発明の効果】
【００１４】
本発明に係る電気機器によれば、ベースケースにおける一対の側壁部に抑止部が形成され、絶縁シートにおける固定機構と協働して、絶縁シートの底部側をベースケースの底面部側へ収納させるように固定するので、絶縁シートがベースケース内に確実に収納された状態を実現することができ、製造工程において歩留まりの向上を図ることができる。
【００１５】
本発明に係る電気機器によれば、固定機構が、底部の両側に連続して立設する縦壁部を長手方向に延びる折線により折り曲げて形成した鍔部と、この鍔部より底部側の角部へ延びる傾斜部とを有しており、絶縁シートが弾性を有するため、鍔部から傾斜部の部分が弾性によりベースケースの底面部と側壁部の結合部分である角部へ延びる方向の力を与え、絶縁シートがベースケース内に確実に収納された状態を実現することができる。
【００１６】
本発明に係る電気機器によれば、ベースケースの抑止部は、一対の側壁部における内側へ突設された突起部であるので、回路基板により構成される電気回路の側縁部を絶縁シートの鍔部を介して前記突起部に載置させることができる。
【００１７】
本発明に係る電気機器によれば、抑止部は、側壁部を穿設して形成された二条のスリットに挟まれ、対向する側壁部方向へ湾曲されて突出された帯状部材により構成されているので、基板を支持するための段部を複数か所において高い寸法精度で形成することができ、また、帯状部材の下端部には、切欠部が形成されているので、絶縁シートとの干渉を回避することができる。
【００１８】
本発明に係る電気機器によれば、本発明に係る電気機器によれば、抑止部は、側壁部を穿設して形成された二条のスリットに挟まれ、対向する側壁部方向へ湾曲されて突出された帯状部材により構成されているので、基板を支持するための段部を複数か所において高い寸法精度で形成することができ、また、帯状部材の下端部と接触する絶縁シートの部位には、穴が形成されているので、絶縁シートがと帯状部材との干渉を回避することができる。
【００１９】
本発明に係る照明器具によれば、製造工程において歩留まりの向上を図った照明器具を提供することができる。
【図面の簡単な説明】
【００２０】
【図１】本発明の電気機器に係る第１の実施形態の構成を示す一部省略斜視図。
【図２】本発明の電気機器に係る第１の実施形態のベースケース側の構成を示す一部省略斜視図。
【図３】本発明の電気機器に係る第１の実施形態のカバーケース及び第２の絶縁シート側の構成を示す一部省略斜視図。
【図４】本発明の電気機器に係る第１の実施形態に適用される第１の絶縁シートの構成を示す図であり、（ａ）は平面図、（ｂ）は正面図、（ｃ）は拡大側面図。
【図５】本発明の電気機器に係る第１の実施形態の製造工程を示す要部斜視図。
【図６】本発明の電気機器に係る第１の実施形態の構成を示す要部断面図。
【図７】本発明の電気機器に係る第２の実施形態の構成を示す要部側面図。
【図８】図７のＡ−Ａ断面図。
【図９】図７において回路基板を実装する前のＢ−Ｂ断面図。
【図１０】図７において回路基板を実装した後のＢ−Ｂ断面図。
【図１１】本発明の電気機器に係る第２の実施形態の構成を示す要部側面図。
【図１２】図１１のＣ−Ｃ断面図。
【図１３】本発明の電気機器に係る第２の実施形態の構成を示す要部斜視図。
【図１４】図１１のＤ−Ｄ断面図。
【図１５】本発明の電気機器に係る第３の実施形態の構成を示す要部平面図。
【図１６】本発明の電気機器に係る第３の実施形態の構成を示す要部平面図。
【図１７】図１６のＥ−Ｅ断面図。
【図１８】本発明の電気機器に係る第４の実施形態の構成を示す組立斜視図。
【図１９】本発明の電気機器に係る第４の実施形態の電気機器を長手方向と直交する平面で切断した断面図。
【図２０】本発明の電気機器としての放電ランプ点灯装置に係る実施形態を用いて構成した照明器具の構成を示す斜視図。
【発明を実施するための形態】
【００２１】
以下添付図面を参照して、本発明に係る点灯装置等の電気機器及び照明器具の実施例を説明する。各図において同一の構成要素には、同一の符号を付し重複する説明を省略する。本第１の実施形態に係る電気機器は放電ランプ点灯装置を示すものであり、図１に要部斜視図を示し、図２にカバーケースを取り外した状態の要部斜視図を示し、図３にカバーケース及び第２の絶縁シートの要部斜視図を示す。
【００２２】
上記各図に示されている放電ランプ点灯装置１は、ベースケース２、第１の絶縁シート３、点灯回路４、カバーケース５及び第２の絶縁シート７を主な構成要素としている。第１の絶縁シート３は、ベースケース２の内側に沿って配置されており、金属製のベースケース２と点灯回路４との電気的接続を遮断している。点灯回路４は、回路基板６に電気部品を実装した構成を有している。カバーケース５は、ベースケース２に覆い被さる蓋の機能を有し、カバーケース５の内側に沿って、上に凸の半円の円弧に相当するＲ形状を有する第２の絶縁シート７が配置される（図３）。カバーケース５とベースケース２により構成される筐体内には、第１の絶縁シート３と第２の絶縁シート７に覆われた状態で点灯回路４が収納される。第２の絶縁シート７を構成する材料及び厚みは、後に説明する第１の絶縁シート３と同一である。
【００２３】
ベースケース２は、例えば１枚の金属製の平板を折り曲げて、底面部２ａの両側部に一対の側壁部２ｂ、２ｂを備えるように構成されている。金属としては、例えば鋼板材が用いられる。上記底面部２ａは、細長い長方形の形状に形成されている。また、一対の側壁部２ｂ、２ｂは、底面部２ａの長手方向に沿うように両側から上方に折り曲げられ、底面部２ａとほぼ直交し互いに対向してベースケース２の全体が略樋形状に形成されている。そして、上記側壁部２ｂ、２ｂは、長手方向の両側の側縁２ｂｂ、２ｂｂが下側に向かって拡がるように傾斜しており、全体として断面が略台形状に形成されている。
【００２４】
一対の側壁部２ｂ、２ｂは、図２に示されるようにその長手方向の一端側２ｂａ及び図示しない他端側及び中央位置に、係合受部である孔８と、四角形状の透通孔１０がそれぞれ形成されている。孔８は、円形状に形成され、カバーケース５の係合部である凸部（ベースケース２側へ向かって凸）１６と係合する大きさに形成されている。
【００２５】
更に、一対の側壁部２ｂ、２ｂにおいては、その長手方向の一端側２ｂａ及び図示しない他端側及び中央位置に、それぞれ側壁部２ｂ、２ｂの内側に突出する長形の基板支持段部２２がベースケース２の抑止部及び突起部として形成されている。合計６個である基板支持段部２２は、予め基板支持段部２２の形状に対応するように形成された第１の絶縁シート３の鍔部３３を介して回路基板６を支持する。更に、底面部２ａの長手方向の一端側２ａａ及び図示しない他端側には、取付孔１２が穿設されている。
【００２６】
第１の絶縁シート３は、平面状に形成された絶縁性の例えばポリエチレンテレフタレート（ＰＥＴ）などの弾性を有する樹脂により構成され、ベースケース２の内面に沿ってベースケース２に配置され、一部が側壁部２ｂ、２ｂから上方へ突出している。第１の絶縁シート３の厚さは、例えば0.2 〜1.0 ｍｍである。
【００２７】
第１の絶縁シート３は、図４と図５に示すように構成され、ベースケース２の底面部２ａ内面に沿う形状の底部３１を有する。底部３１の両側には、ベースケース２における一対の側壁部２ｂ、２ｂ内面に沿った縦壁部３２、３２を有する。縦壁部３２、３２の高さの上端部から概ね４分の３の位置において、縦壁部３２、３２を長手方向に延びる折線により内側に折り曲げられて鍔部３３、３３が形成されている。
【００２８】
上記の鍔部３３、３３より底部３１側の角部へ延びる傾斜部３４、３４が形成されている。第１の絶縁シート３における傾斜部３４、３４と底部３１の結合部分は、ベースケース２の角部２ｃ、２ｃへ向かって鋭角に突出した鋭角部３５、３５とされている。
【００２９】
また図４に示すように、第１の絶縁シート３の底部３１における長手方向両端部には、後述の起立片１１と当接するための「３」字状の周縁部を有する切込部３６が形成されている。第１の絶縁シート３の縦壁部３２、３２における長手方向両端部は、長方形状に切り取られて背低部３７が形成されており、ベースケース２の縦壁部３２、３２における長手方向両端部の形状に合致させられている。更に、第１の絶縁シート３における一方の縦壁部３２の中央部には、四角形状の切欠部３８が形成されている。切欠部３８は、回路基板６に実装されたトランジスタの図示せぬ放熱板を突出させて、放熱板とカバーケース５が接触可能とするための構成である。
【００３０】
点灯回路４は、電気部品が回路基板６に実装されて構成されている。回路基板６は、例えばガラスエポキシ材や紙フェノール材などにより構成されるものであり、長方形状に形成され、その長手方向の寸法がベースケース２の側壁部２ｂにおける上面２ｂｃの長手方向の寸法によりも幾分小さく、その幅寸法が一対の側壁部２ｂ、２ｂ間の寸法から第１の絶縁シート３の厚さを減じた値より幾分小さくなるように設計されている。
【００３１】
更に、回路基板６には、その上面６ａにおいて、一端側６ｂに入力用の端子台１３が配設されており、図示しない他端側に出力用の端子台が配設されている。入力用の端子台１３には、商用交流電源からの電源線が接続され、出力用の端子台からは、放電ランプが装着されるランプソケットに接続されるリード線が導出される。
【００３２】
電気部品は、回路基板６の入力用の端子台１３と出力用の端子台との間に実装されており、コンデンサＣ１、インダクタＬ１更に図示しないトランジスタなどによって、交流電圧を直流電圧へ変換する直流電源回路、直流電圧を高周波交流電圧へ変換するインバータ回路、更に放電ランプに共振電圧を印加する共振回路などが形成されている。
【００３３】
上記の点灯回路４は、第１の絶縁シート３を介してベースケース２の底面部２ａ側に配置されている。すなわち、回路基板６は、側壁部２ｂ、２ｂに設けられた基板支持段部２２により支持され、回路基板６の長手方向の両端側及び第１の絶縁シート３の両端部に形成された切込部３６が底面部２ａの切り起しにより形成された起立片１１により移動が規制されている。基板支持段部２２は、図６に示されるように、回路基板６の上面６ａがベースケース２の透通孔１０の基部１０ｄと一致する高さとなるように、底面部２ａからの高さ寸法が設定されている。
【００３４】
カバーケース５は、例えば鋼板材により構成され、一対の側板部５ｃ、５ｃ及びこの一対の側板部５ｃ、５ｃをつなぐ天板部５ａを有する。より詳細には、カバーケース５は、一枚の平板を折り曲げて構成したもので、長方形状の天板部５ａと、この天板部５ａの長手方向に沿う両端に連設すると共に天板５ａに対して互いに内向きに傾斜する一対の傾斜板部５ｂ、５ｂを備える。この一対の傾斜板部５ｂ、５ｂには、その長手方向に沿うように互いにほぼ平行に対向する一対の側板部５ｃ、５ｃが連設している。更に、天板部５ａにおける長手方向の両端には、天板部５ａに対しほぼ直交するように形成された一対に端板部５ｄ、５ｄが天板部５ａに連設している。この端板部５ｄ、５ｄは、平面形状が略五角形状をなし、カバーケース５における長手方向の両側端の開口１４の上側を略閉塞している。側板部５ｃ、５ｃは、傾斜板部５ｂ、５ｂを介して天板部５ａの長手方向に沿う両側に連設されている。
【００３５】
更に、カバーケース５は、その長手方向が回路基板６に配設されている入力用の端子台１３と出力用の端子台との間に位置する大きさに形成されている。また、ベースケース２にカバーケース５を被嵌したときに、側板部５ｃ、５ｃの開放端５ｃａ、５ｃａがベースケース２の底面部２ａの位置よりも外方側に突出しないように、側板部５ｃ、５ｃの丈寸法（カバーケース５の高さ寸法）が設定されている。また、端板部５ｄの開放端５ｄａが回路基板６の上面６ａに当接することがないように、端板部５ｄの天板からの深さ（高さ）が設定されている。更に、一対の側板部５ｃ、５ｃの内面がベースケース２の一対の側壁部２ｂ、２ｂの外面に重なり合うことができるように、側板部５ｃ、５ｃの間隔が設定されている。カバーケース５が全体として弾性を有し、一対の側板部５ｃ、５ｃに対し拡開するように変形させると、当初の形状に弾性復帰するような力が付与される。
【００３６】
第１の絶縁シート３をベースケース２の内面に配置するためには、鋭角部３５、３５を結ぶ底部３１の中央部が上に凸となるように第１の絶縁シート３を湾曲変形させる。この状態のまま第１の絶縁シート３の鋭角部３５、３５を、ベースケース２の底面部２ａに沿わせて角部２ｃ、２ｃに近接させた状態として、第１の絶縁シート３を湾曲状態から解除する。すると、第１の絶縁シート３の弾性により鋭角部３５、３５がベースケース２の角部２ｃ、２ｃと当接し、第１の絶縁シート３の底部３１がベースケース２の底面部２ａに張り付くように固定される（図５）。
【００３７】
上記固定状態においては、図６に示されるように、鍔部３３の外下方部が突起部である基板支持段部２２に当接し、回路基板６により構成される電気回路の側縁部６ａａが第１の絶縁シート３の鍔部３３を介して基板支持段部２２に載置される。基板支持段部２２は、第１の絶縁シート３の傾斜部３４、３４をベースケース２の底面部２ａ側に抑止する抑止部の機能をも兼用して有している。鍔部３３と傾斜部３４は、ベースケース２の抑止部と協働して底部３１側をベースケース２の底面部２ａ側へ収納させるように固定する固定機構として機能する。
【００３８】
上記一対の側板部５ｃ、５ｃのそれぞれの一端側５ｃｂ、５ｃｂおよび図示しない他端側には、係合部である凸部（ベースケース２側へ向かって凸）１６と開口１５内に爪孔部９が形成されている。凸部１６は、側板部５ｃの外面５ｃｃを例えばプレスすることにより凹ませて形成され、側板部５ｃの内面５ｃｄからカバーケース５の内側に突出している。そして、その突出面は、略球面状（楕円状）に形成されている。凸部１６は、通称ダボ構造に形成されている。爪孔部９から凸部１６までの距離は、爪部９ｃを折り曲げた際に生じる基部９ａ付近に生じる反り返りの影響の範囲を避ける程度に十分長く設定されている。
【００３９】
カバーケース５をベースケース２に連結するときに、ベース２の一対の側壁部２ｂ、２ｂは、カバーケース５の側板部５ｃ、５ｃに挟まれる。これにより、カバーケース５の側板５ｃ、５ｃの内面５ｃｄ、５ｃｄとベースケース２の一対の側壁部２ｂ、２ｂの外面が重なり合う。そして、カバーケース５をベースケース２の底面部２ａ側に押圧して移動させると、カバーケース５の凸部１６が側壁部２ｂ、２ｂの外面に乗り上がる。
【００４０】
凸部１６は、一対の側板部５ｃ、５ｃがベースケース２の一対の側壁部２ｂ、２ｂに重なり合うときに、側壁部２ｂ、２ｂに設けられた孔８に嵌合する。このとき、孔８のほぼ全周の縁部に凸部１６の突出面が当接する。これにより、凸部１６は孔８に強固に固定され、孔８において移動しなくなる。
【００４１】
爪孔部９は、図６に示すように側板部５ｃの外面５ｃｃを切り込むことにより形成されている。爪孔部９には、側板部５ｃの出幅方向（側板部５ｃの長手方向に直交する方向）を向くように爪部９ｃが形成されている。すなわち、爪部９ｃの基部９ａは側板部５ｃの開放端５ｃａ側に位置し、爪部９ｃの先端部９ｂは傾斜板部５ｂ側に位置している。そして、基部９ａを除く爪部９ｃの周囲は、爪部９ｃを折り曲げ易くするための略Ｕ字状の開口１５が形成されている。
【００４２】
カバーケース５がベースケース２に被せられるようにして連結された状態では、カバーケース５の爪孔部９はベースケース２の透通孔１０と重なる。ここで、爪孔部９の開口１５に相当する部位を内面方向に押圧して爪部９ｃを折り曲げる治具を用いて、爪部９ｃが図６に示すように透通孔１０より内側に折り込まれる。
【００４３】
爪部９ｃの内面が、基部９ａと基部１０ｄとを軸として内側に折り込まれることにより、先端部９ｂがベースケース２内面側に侵入し、第１の絶縁シート３に当接し絶縁シート３を介して内面により点灯回路４の回路基板６の上面６ａを押圧して側縁部６ａａを押さえる状態となる。
【００４４】
カバーケース５がベースケース２に被せられる場合には、カバーケース５の内側に沿って配置されているＲ形状を有する第２の絶縁シート７の下端部が、第１の絶縁シート３の上端部に図６に示すように被さる。これにより、端子台１３などを除く回路基板６は、第１の絶縁シート３及び第２の絶縁シート７に包まれた状態となり、外部と電気的に絶縁される。
【００４５】
第１の実施形態に係る電気機器として放電ランプ点灯装置では、基板支持段部２２が長方形の二短辺を円弧状として内側に向かって丸みを帯びた形状で突出しており、プレス加工等により側壁部２ｂの内面から膨出するように形成される。この基板支持段部２２を六か所において高い寸法精度で形成することは難しい。そこで、第２の実施形態に係る電気機器としての放電ランプ点灯装置では、平面図である図７及びＡ−Ａ断面図である図８に示されるように、基板支持部２２と同様に機能する抑止部としての帯状部材２２Ａ具備している。
【００４６】
即ち、この帯状部材２２Ａは、ベースケース２における側壁部２ｂを穿設して互いに平行となるように形成された二条のスリット孔２３Ｕ、２３Ｄに挟まれ、対向する側壁部２ｂ方向へ湾曲されて突出されてアーチ状に形成されている。この帯状部材２２Ａは、長方形形状である二条のスリット孔２３Ｕ、２３Ｄを穿設して形成するので、帯状部材２２Ａを六か所に設けた場合にも高い寸法精度で形成することができる。
【００４７】
しかしながら、帯状部材２２Ａを単に同一幅の帯状に形成した場合には、第１の絶縁シート３を図９の如くベースケース２の底面部２ａに沿わせて配し、更に回路基板６を第１の絶縁シート３の鍔部３３に載置すると、第１の絶縁シート３の傾斜部３４と帯状部材２２Ａの下端部２２ｄが接触して干渉する。このため、図１０に示すように第１の絶縁シート３における底面３１の主に中央部が浮き上がってしまう。ここで、帯状部材２２Ａの幅（図９では上下方向の寸法）は、強度を考慮し、また金型構造の制限を考慮すると細くできない。
【００４８】
そこで、第２の実施形態に係る電気機器としての放電ランプ点灯装置においては、帯状部材２２Ａの下端部２２ｄの長手方向における略中央に、第１の絶縁シート３との干渉を回避するため、半円弧より僅かに小さい円弧形状の切欠部２５を形成する（図１１、図１２）。この帯状部材２２Ａは図１２及び図１３に示すように、対向する側壁部２方向へ湾曲されて突出されてアーチ状に形成されるために、切欠部２５は図１４に示すように第１の絶縁シート３の傾斜面３４に沿った状態となり、第１の絶縁シート３との干渉を回避することができる。従って、第１の絶縁シート３における底面３１がベースケース２における底面部２ａから浮き上がることなく、適切に敷設することができる。この部分以外の構成は、第１の実施形態の構成と等しく形成されている。
【００４９】
第３の実施形態に係る電気機器としての放電ランプ点灯装置においては、帯状部材２２Ａの下端部２２ｄと接触する第１の絶縁シート３の部位には、干渉を回避するために、楕円形状の小さな穴３９が形成されている（図１５）。図１６に示すように帯状部材２２Ａの下端部２２ｄに、切欠部２５を備えていない。上記の穴３９は、第１の絶縁シート３の傾斜面３４に形成されている。ベースケース２に第１の絶縁シート３を配置した場合には、図１６と図１７に示す帯状部材２２Ａの下端部２２ｄにおける略中央に位置する半楕円エリア２２ｅが、上記穴３９から突出して、第１の絶縁シート３との干渉を回避することができる。従って、第１の絶縁シート３における底面３１がベースケース２における底面部２ａから浮き上がることなく、適切に敷設することができる。この部分以外の構成は、第１の実施形態の構成と等しく形成されている。
【００５０】
上記のいずれの実施形態においても第１の絶縁シート３と第２の絶縁シート７とを別シートにより構成したものであるが、これらを図１８に示すように１枚の絶縁シート４０とすることもできる。ベースケース２にカバーケース５を被せて両者を組み立てて行くにつれて、絶縁シート４０の多く突出している側の先端部分がカバーケース５の内壁に沿って湾曲されるようになり、絶縁シート４０の他方の先端部分に重なり、ベースケース２とカバーケース５の内面が絶縁シート４０により覆われた状態となる（図１９）。この状態の絶縁シート４０におけるベースケース側が第１の絶縁シート３であり、カバーケース２側が第２の絶縁シート７である。この絶縁シート４０を用いて、第２または第３の実施形態の構成を採用した電気機器の斜視図を図１８に示す。ここでは、爪孔部９、凸部１６更に基板支持段部２２や帯状部材２２Ａ等が備えられているが、これらの図示を省略している。
【００５１】
回路基板６には、入力用の端子台１３、コンデンサＣ１、インダクタＬ１以外に、トランスＴ１、Ｔ２、パワートランジスタＴＲ、出力用の端子台１３ＯＴその他の電子部品Ｄが実装されている。ここで、高さが高い部品はトランスＴ１、Ｔ２であるので、図１９に示すようにトランスＴ１、Ｔ２を含むカバーケース５の端板部５ｄに平行な断面に示されるように、絶縁シート４０における第２の絶縁シート７を介してトランスＴ１、Ｔ２とカバーケース５を接触させる。この構成によって、トランスＴ１、Ｔ２により発生された熱は絶縁シート４０における第２の絶縁シート７を介してカバーケース５へと伝熱し、放熱が適切になされることになる。
【００５２】
この電気機器においては、第２または第３の実施形態の構成を採用していることから、カバーケース５における天板部５ａから帯状部材２２Ａの上端部２２ｕ（図７）までの寸法（距離）管理を適切に行うことができる。このため、絶縁シート４０における第２の絶縁シート７を介してトランスＴ１、Ｔ２におけるコア２６の上端部２６ａは、確実に適切にカバーケース５に接触ことができ、トランスＴ１、Ｔ２におけるコア２６の上端部２６ａとカバーケース５の間に放熱用のシリコンや樹脂を介装させる必要がなく、放熱効果を特別な部品を用いることなく実現できる効果がある。
【００５３】
また、カバーケース５における天板部５ａから帯状部材２２Ａの上端部２２ｕまでの寸法が適性ではないものが稀に混在する場合に応じて、トランスＴ１、Ｔ２におけるコア２６の上端部２６ａとカバーケース５の間に放熱用のシリコンや樹脂を介装させればよく、カバーケース５の不良品を有効利用することができる。
【００５４】
図２０に、本発明に係る照明器具の実施例を示す。照明器具３０は、天井面などに直付けされる照明器具であり、略枠状の器具本体１７の両端に一対のランプソケット１８、１８が設けられている。このランプソケット１８、１８には、放電ランプである直管形蛍光ランプ１９が装着されている。また、器具本体１７は、蛍光ランプ１９に対向して断面略皿状の反射板２０を取り付けており、この反射板２０の表面は反射面２０ａとなっている。
【００５５】
また、器具本体１７は、反射板２０の内側において、第１乃至第３のいずれかの実施形態に示した放電ランプ点灯装置１をベースケース２の底面部２ａに設けた取付孔１２に通しねじにより固定している。そして、放電ランプ点灯装置１が給電されることにより、蛍光ランプ１９が点灯する。
【００５６】
照明器具３０は、放電ランプ点灯装置１の小型化により、容易に配設スペースを確保することができ、放電ランプ点灯装置１の低コスト化により、安価に形成することができる。
【符号の説明】
【００５７】
１  放電ランプ点灯装置
２  ベースケース
３  第１の絶縁シート
４  点灯回路
５  カバーケース
７  第２の絶縁シート
８  孔
９  爪孔部
１０  透通孔
１７  器具本体
１９  直管形蛍光ランプ
２２Ａ  帯状部材
２５  切欠部
３０  照明器具
【先行技術文献】
【特許文献】
【００５８】
【特許文献１】特開２００６−１２６０３号公報
【図１】
2010135291.tif 000003
【図２】
2010135291.tif 000004
【図３】
2010135291.tif 000005
【図４】
2010135291.tif 000006
【図５】
2010135291.tif 000007
【図６】
2010135291.tif 000008
【図７】
2010135291.tif 000009
【図８】
2010135291.tif 000010
【図９】
2010135291.tif 000011
【図１０】
2010135291.tif 000012
【図１１】
2010135291.tif 000013
【図１２】
2010135291.tif 000014
【図１３】
2010135291.tif 000015
【図１４】
2010135291.tif 000016
【図１５】
2010135291.tif 000017
【図１６】
2010135291.tif 000018
【図１７】
2010135291.tif 000019
【図１８】
2010135291.tif 000020
【図１９】
2010135291.tif 000021
【図２０】
2010135291.tif 000022